(57)【特許請求の範囲】
【請求項１】
無線通信のための装置であって、
第１の無線インターフェースを通じての、第１のカバレッジエリア内の第１の無線ノードとの通信から潜在的干渉を判定し、
第２の無線インターフェースを通じての第２のカバレッジエリア内の周辺の装置と通信する際に、前記潜在的干渉を管理し、
前記潜在的干渉を管理するために、前記第２の無線インターフェースを通じて、前記第１の無線インターフェースを介する通信を前記周辺の装置とスケジューリングする
ように構成される処理システムを備え、
前記第２のカバレッジエリアは前記第１のカバレッジエリアよりも広く、前記周辺の装置は前記第１のカバレッジエリアの外にある、装置。
【請求項２】
前記第１の無線インターフェースは第１の周波数と関連し、前記第２の無線インターフェースは前記第１の周波数よりも低い第２の周波数と関連する、請求項１に記載の装置。
【請求項３】
前記第１の無線インターフェースは第１の帯域幅と関連し、前記第２の無線インターフェースは前記第１の帯域幅とは異なる第２の帯域幅と関連する、請求項１に記載の装置。
【請求項４】
前記処理システムは、第１のアンテナを通じて前記第１の無線ノードと通信し、前記第１のアンテナとは異なる第２のアンテナを通じて前記周辺の装置と通信するようにさらに構成される、請求項１に記載の装置。
【請求項５】
前記処理システムは、（ａ）前記第１の無線ノードから干渉を指し示すメッセージを受信すること、（ｂ）前記第１の無線ノードからの肯定応答の受信に失敗すること、（ｃ）別の無線ノードからの信号を検出すること、（ｄ）前記周辺の装置からの信号を検出すること、または（ｅ）前記周辺の装置の距離を判定することのうちの少なくとも１つに基づいて、前記潜在的干渉を判定するようにさらに構成される、請求項１に記載の装置。
【請求項６】
前記処理システムは、前記周辺の装置から受信される参照信号に基づいて、前記周辺の装置の前記距離を判定するようにさらに構成される、請求項５に記載の装置。
【請求項７】
前記処理システムは、前記受信される参照信号の強度と、前記第２の無線インターフェースのための経路損失モデルとに基づいて、前記周辺の装置の前記距離を判定するようにさらに構成される、請求項６に記載の装置。
【請求項８】
前記処理システムは、前記参照信号の到達時間に基づいて、前記周辺の装置の前記距離を判定するようにさらに構成される、請求項６に記載の装置。
【請求項９】
前記処理システムは、前記周辺の装置から受信される位置情報に基づいて、前記周辺の装置の前記距離を判定するようにさらに構成される、請求項５に記載の装置。
【請求項１０】
前記処理システムは、通信するためのそれぞれの周波数帯を前記周辺の装置と調整することによって、前記潜在的干渉を管理するようにさらに構成される、請求項１に記載の装置。
【請求項１１】
前記処理システムは、前記第２の無線インターフェースを通じて、前記周辺の装置と、前記第１の無線インターフェースに関連するタイミング情報を交換するようにさらに構成される、請求項１に記載の装置。
【請求項１２】
前記処理システムは、前記周辺の装置のための専用のチャネル通信とは異なる期間において、前記装置のための専用のチャネル通信をスケジューリングするようにさらに構成される、請求項１に記載の装置。
【請求項１３】
前記処理システムは、前記周辺の装置のための共通のアクセス通信とは異なる期間において、前記装置のための共通のアクセス通信をスケジューリングするようにさらに構成される、請求項１に記載の装置。
【請求項１４】
前記処理システムは、前記装置と前記周辺の装置との間で通信時間を分割するようにさらに構成される、請求項１に記載の装置。
【請求項１５】
前記処理システムは、前記周辺の装置に、従属ネットワークとして前記装置と統合するように要求することによって、前記潜在的干渉を管理するようにさらに構成される、請求項１に記載の装置。
【請求項１６】
前記処理システムは、前記装置または前記周辺の装置と通信している少なくとも１つの別の無線ノードのためのネットワーク接続を再構成することによって、前記潜在的干渉を管理するようにさらに構成される、請求項１に記載の装置。
【請求項１７】
前記再構成は、前記少なくとも１つの別の無線ノードに、前記少なくとも１つの別の無線ノードが関連するネットワークとは異なるネットワークと関連するように要求することを備える、請求項１６に記載の装置。
【請求項１８】
前記再構成は、前記少なくとも１つの別の無線ノードが通信しているネットワークが、前記少なくとも１つの別の無線ノードにこれ以上通信サービスを提供できないということを、前記少なくとも１つの別の無線ノードに知らせることを備える、請求項１６に記載の装置。
【請求項１９】
無線通信のための方法であって、
第１の無線インターフェースを通じての第１のカバレッジエリア内の第１の無線ノードとの通信から潜在的干渉を判定することと、
第２の無線インターフェースを通じての第２のカバレッジエリア内の周辺の装置と通信する際に、前記潜在的干渉を管理することと、
前記潜在的干渉を管理するために、前記第２の無線インターフェースを通じて、前記第１の無線インターフェースを介する通信を前記周辺の装置とスケジューリングすることと
を備える、
前記第２のカバレッジエリアは前記第１のカバレッジエリアよりも広く、前記周辺の装置は前記第１のカバレッジエリアの外にある、方法。
【請求項２０】
前記第１の無線インターフェースは第１の周波数と関連し、前記第２の無線インターフェースは前記第１の周波数よりも低い第２の周波数と関連する、請求項１９に記載の方法。
【請求項２１】
前記第１の無線インターフェースは第１の帯域幅と関連し、前記第２の無線インターフェースは前記第１の帯域幅とは異なる第２の帯域幅と関連する、請求項１９に記載の方法。
【請求項２２】
第１のアンテナを通じて前記第１の無線ノードと通信し、前記第１のアンテナとは異なる第２のアンテナを通じて前記周辺の装置と通信することをさらに備える、請求項１９に記載の方法。
【請求項２３】
（ａ）前記第１の無線ノードから干渉を指し示すメッセージを受信すること、（ｂ）前記第１の無線ノードからの肯定応答の受信に失敗すること、（ｃ）別の無線ノードからの信号を検出すること、（ｄ）前記周辺の装置からの信号を検出すること、または（ｅ）前記周辺の装置の距離を判定することのうちの少なくとも１つに基づいて、前記潜在的干渉が判定される、請求項１９に記載の方法。
【請求項２４】
前記潜在的干渉は、前記周辺の装置から受信される参照信号に基づいて、前記周辺の装置の前記距離を判定することによって判定される、請求項２３に記載の方法。
【請求項２５】
前記潜在的干渉は、前記受信される参照信号の強度と、前記第２の無線インターフェースのための経路損失モデルとに基づいて、前記周辺の装置の前記距離を判定することによって判定される、請求項２４に記載の方法。
【請求項２６】
前記潜在的干渉は、前記参照信号の到達時間に基づいて、前記周辺の装置の前記距離を判定することによって判定される、請求項２４に記載の方法。
【請求項２７】
前記潜在的干渉は、前記周辺の装置から受信される位置情報に基づいて、前記周辺の装置の前記距離を判定することによって判定される、請求項２３に記載の方法。
【請求項２８】
前記潜在的干渉は、通信するためのそれぞれの周波数帯を前記周辺の装置と調整することによって管理される、請求項１９に記載の方法。
【請求項２９】
前記第２の無線インターフェースを通じて、前記周辺の装置と、前記第１の無線インターフェースに関連するタイミング情報を交換することをさらに備える、請求項１９に記載の方法。
【請求項３０】
前記周辺の装置のための専用のチャネル通信とは異なる期間において、専用のチャネル通信がスケジューリングされる、請求項１９に記載の方法。
【請求項３１】
前記周辺の装置のための共通のアクセス通信とは異なる期間において、共通のアクセス通信がスケジューリングされる、請求項１９に記載の方法。
【請求項３２】
前記周辺の装置との通信時間が分割される、請求項１９に記載の方法。
【請求項３３】
前記周辺の装置に、従属ネットワークとして前記装置と統合するように要求することによって、前記潜在的干渉が管理される、請求項１９に記載の方法。
【請求項３４】
前記装置または前記周辺の装置と通信している少なくとも１つの別の無線ノードのためのネットワーク接続を再構成することによって、前記潜在的干渉が管理される、請求項１９に記載の方法。
【請求項３５】
ネットワーク接続の前記再構成は、前記少なくとも１つの別の無線ノードに、前記少なくとも１つの別の無線ノードが関連するネットワークとは異なるネットワークと関連するように要求することを備える、請求項３４に記載の方法。
【請求項３６】
ネットワーク接続の前記再構成は、前記少なくとも１つの別の無線ノードが通信しているネットワークが、前記少なくとも１つの別の無線ノードにこれ以上通信サービスを提供できないということを、前記少なくとも１つの別の無線ノードに知らせることを備える、請求項３４に記載の方法。
【請求項３７】
無線通信のための装置であって、
第１の無線インターフェースを通じての第１のカバレッジエリア内の第１の無線ノードとの通信から潜在的干渉を判定するための手段と、
第２の無線インターフェースを通じて第２のカバレッジエリア内で周辺の装置と通信する際に、前記潜在的干渉を管理するための手段と、
前記潜在的干渉を管理するために、前記第２の無線インターフェースを通じて、前記第１の無線インターフェースを介する通信を前記周辺の装置とスケジューリングするための手段と
を備え、
前記第２のカバレッジエリアは前記第１のカバレッジエリアよりも広く、前記周辺の装置は前記第１のカバレッジエリアの外にある、装置。
【請求項３８】
前記第１の無線インターフェースは第１の周波数と関連し、前記第２の無線インターフェースは前記第１の周波数よりも低い第２の周波数と関連する、請求項３７に記載の装置。
【請求項３９】
前記第１の無線インターフェースは第１の帯域幅と関連し、前記第２の無線インターフェースは前記第１の帯域幅とは異なる第２の帯域幅と関連する、請求項３７に記載の装置。
【請求項４０】
第１のアンテナを通じて前記第１の無線ノードと通信し、前記第１のアンテナとは異なる第２のアンテナを通じて前記周辺の装置と通信するための手段をさらに備える、請求項３７に記載の装置。
【請求項４１】
（ａ）前記第１の無線ノードから干渉を指し示すメッセージを受信すること、（ｂ）前記第１の無線ノードからの肯定応答の受信に失敗すること、（ｃ）別の無線ノードからの信号を検出すること、（ｄ）前記周辺の装置からの信号を検出すること、または（ｅ）前記周辺の装置の距離を判定することのうちの少なくとも１つに基づいて、前記潜在的干渉が判定される、請求項３７に記載の装置。
【請求項４２】
前記潜在的干渉は、前記周辺の装置から受信される参照信号に基づいて、前記周辺の装置の前記距離を判定することによって判定される、請求項４１に記載の装置。
【請求項４３】
前記潜在的干渉は、前記受信される参照信号の強度と、前記第２の無線インターフェースのための経路損失モデルとに基づいて、前記周辺の装置の前記距離を判定することによって判定される、請求項４２に記載の装置。
【請求項４４】
前記潜在的干渉は、前記参照信号の到達時間に基づいて、前記周辺の装置の前記距離を判定することによって判定される、請求項４２に記載の装置。
【請求項４５】
前記潜在的干渉は、前記周辺の装置から受信される位置情報に基づいて、前記周辺の装置の前記距離を判定することによって判定される、請求項４１に記載の装置。
【請求項４６】
前記潜在的干渉は、通信するためのそれぞれの周波数帯を前記周辺の装置と調整することによって管理される、請求項３７に記載の装置。
【請求項４７】
前記第２の無線インターフェースを通じて、前記周辺の装置と、前記第１の無線インターフェースに関連するタイミング情報を交換するための手段をさらに備える、請求項３７に記載の装置。
【請求項４８】
前記周辺の装置のための専用のチャネル通信とは異なる期間において、専用のチャネル通信がスケジューリングされる、請求項３７に記載の装置。
【請求項４９】
前記周辺の装置のための共通のアクセス通信とは異なる期間において、共通のアクセス通信がスケジューリングされる、請求項３７に記載の装置。
【請求項５０】
前記周辺の装置との通信時間が分割される、請求項３７に記載の装置。
【請求項５１】
前記周辺の装置に、従属ネットワークとして前記装置と統合するように要求することによって、前記潜在的干渉が管理される、請求項３７に記載の装置。
【請求項５２】
前記装置または前記周辺の装置と通信している少なくとも１つの別の無線ノードのためのネットワーク接続を再構成することによって、前記潜在的干渉が管理される、請求項３７に記載の装置。
【請求項５３】
ネットワーク接続の前記再構成は、前記少なくとも１つの別の無線ノードに、前記少なくとも１つの別の無線ノードが関連するネットワークとは異なるネットワークと関連するように要求することを備える、請求項５２に記載の装置。
【請求項５４】
ネットワーク接続の前記再構成は、前記少なくとも１つの別の無線ノードが通信しているネットワークが、前記少なくとも１つの別の無線ノードにこれ以上通信サービスを提供できないということを、前記少なくとも１つの別の無線ノードに知らせることを備える、請求項５２に記載の装置。
【請求項５５】
通信のためのコンピュータプログラムであって、
第１の無線インターフェースを通じて、第１のカバレッジエリア内で第１の無線ノードとの通信から、潜在的干渉を判定し、
第２の無線インターフェースを通じて第２のカバレッジエリア内で周辺の装置と通信する際に、前記潜在的干渉を管理し、
前記潜在的干渉を管理するために、前記第２の無線インターフェースを通じて、前記第１の無線インターフェースを介する通信を前記周辺の装置とスケジューリングするようにコンピュータによって実行可能な命令を備え、
前記第２のカバレッジエリアは前記第１のカバレッジエリアよりも広く、前記周辺の装置は前記第１のカバレッジエリアの外にある、コンピュータプログラム。
【請求項５６】
１つまたは複数のアンテナと、
前記１つまたは複数のアンテナの少なくとも１つを介して第１のカバレッジエリア内での通信をサポートするように構成される第１の無線インターフェースと、
前記１つまたは複数のアンテナの少なくとも１つを介して、前記第１のカバレッジエリアよりも広い第２のカバレッジエリア内での通信をサポートするように構成される第２の無線インターフェースと、
処理システムと
を備え、前記処理システムは、
前記第１の無線インターフェースを通じて、前記第１のカバレッジエリア内で第１の無線ノードとの通信から、潜在的干渉を判定し、
前記第２の無線インターフェースを通じて前記第２のカバレッジエリア内で周辺の装置と通信する際に、前記潜在的干渉を管理し、
前記潜在的干渉を管理するために、前記第２の無線インターフェースを通じて、前記第１の無線インターフェースを介する通信を前記周辺の装置とスケジューリングする
ように構成され、前記周辺の装置は前記第１のカバレッジエリアの外にある、アクセスポイント。
【請求項５７】
第１のカバレッジエリア内での通信をサポートするように構成される第１の無線インターフェースと、
前記第１のカバレッジエリアよりも広い第２のカバレッジエリア内での通信をサポートするように構成される第２の無線インターフェースと、
ユーザーインターフェースと、
処理システムと
を備え、前記処理システムは、
第１の無線インターフェースを通じて、第１のカバレッジエリア内で第１の無線ノードとの通信から、潜在的干渉を判定し、
第２の無線インターフェースを通じて第２のカバレッジエリア内で周辺の装置と通信する際に、前記潜在的干渉を管理し、
前記潜在的干渉を管理するために、前記第２の無線インターフェースを通じて、前記第１の無線インターフェースを介する通信を前記周辺の装置とスケジューリングする
ように構成され、前記通信は前記ユーザーインターフェースからの入力に基づき、前記周辺の装置は前記第１のカバレッジエリアの外にある、局。
【発明の詳細な説明】
【技術分野】
【０００１】
関連出願の相互参照
本出願は、米国特許法第１１９条（ｅ）にしたがい、２００９年６月２６日に出願された米国特許仮出願第６１／２２０７８７号の利益を主張するものであり、上記の仮出願の内容は、その全体が参照によって本明細書に組み込まれる。
【０００２】
以下の記述は、全般に通信システムに関し、より具体的には干渉の管理に関する。
【背景技術】
【０００３】
干渉の管理は、無線ネットワークにおける主要な課題の１つである。干渉の管理は、指向性アンテナの使用とともに、無線が６０ＧＨｚ帯のような経路損失の厳しい高周波（ＨＦ）帯で動作することにより、より難しくなってきている。
【発明の概要】
【０００４】
本開示のある態様では、処理システムを含む無線通信のための装置が提供される。処理システムは、第１の無線インターフェースを通じて、第１のカバレッジエリア内で第１の無線ノードとの通信から、潜在的干渉を判定し、第２の無線インターフェースを通じて第２のカバレッジエリア内で周辺の装置と通信する際に、潜在的干渉を管理するように構成される。第２のカバレッジエリアは第１のカバレッジエリアよりも広く、周辺の装置は第１のカバレッジエリアの外にある。
【０００５】
本開示のある態様では、無線通信のための方法が提供される。潜在的干渉は、第１の無線インターフェースを通じて、第１のカバレッジエリア内で第１の無線ノードとの通信から判定される。潜在的干渉は、第２の無線インターフェースを通じて第２のカバレッジエリア内で周辺の装置と通信する際に、管理される。第２のカバレッジエリアは第１のカバレッジエリアよりも広く、周辺の装置は第１のカバレッジエリアの外にある。
【０００６】
本開示のある態様では、１つまたは複数のアンテナと、第１の無線インターフェースと、第２の無線インターフェースと、処理システムとを含む、アクセスポイントが提供される。第１の無線インターフェースは、１つまたは複数のアンテナの少なくとも１つを介して、第１のカバレッジエリア内での通信をサポートするように構成される。第２の無線インターフェースは、１つまたは複数のアンテナの少なくとも１つを介して、第２のカバレッジエリア内での通信をサポートするように構成される。第２のカバレッジエリアは、第１のカバレッジエリアよりも広い。処理システムは、第１の無線インターフェースを通じて、第１のカバレッジエリア内で第１の無線ノードとの通信から、潜在的干渉を判定するように構成される。処理システムは、第２の無線インターフェースを通じて第２のカバレッジエリア内で周辺の装置と通信する際に、潜在的干渉を管理するようにさらに構成される。周辺の装置は、第１のカバレッジエリアの外にある。
【０００７】
本開示のある態様では、第１の無線インターフェースと、第２の無線インターフェースと、ユーザーインターフェースと、処理システムとを含む、局が提供される。第１の無線インターフェースは、第１のカバレッジ内での通信をサポートするように構成される。第２の無線インターフェースは、第１のカバレッジエリアよりも広い第２のカバレッジエリア内での通信をサポートするように構成される。処理システムは、第１の無線インターフェースを通じて、第１のカバレッジエリア内で第１の無線ノードとの通信から、潜在的干渉を判定するように構成される。処理システムは、第２の無線インターフェースを通じて第２のカバレッジエリア内で周辺の装置と通信する際に、潜在的干渉を管理するようにさらに構成される。通信は、ユーザーインターフェースからの入力に基づく。周辺の装置は、第１のカバレッジエリアの外にある。
【図面の簡単な説明】
【０００８】
【図１】図１は、例示的な装置のためのハードウェア構成を示す、概念的なブロック図である。
【図２】図２は、無線通信システムにおける通信の例を示す、概念的な図である。
【図３】図３は、例示的な装置の機能を示す、概念的なブロック図である。
【詳細な説明】
【０００９】
新規なシステム、装置、および方法の様々な態様が、添付の図面を参照して以下でさらに詳細に説明される。しかし、本開示の教示は、多くの様々な形態で具現化することができ、本開示全体で提示される任意の特定の構造または機能に限定されるものと解釈されるべきではない。むしろ、これらの態様は、本開示が完全で完結したものとなり、当業者に本開示の範囲を完全に伝えるように、提供される。本明細書の教示に基づいて、本開示の範囲は、本明細書で開示される新規なシステムと、装置と、方法とのあらゆる態様を、独立に実装されるか本発明の任意の別の態様と組み合わされるかにかかわらず、含むことが意図されることを、当業者は理解されたい。例えば、本明細書で述べられる任意の数の態様を用いて、装置を実装することができ、方法を実施することができる。さらに、本発明の範囲は、本明細書で述べられる本発明の様々な態様に加えて、またはそれら以外に、別の構造、機能、または構造および機能を用いて実行されるような、装置または方法を含むことが意図される。本明細書で開示されるあらゆる態様は、１つの請求項の１つまたは複数の要素により具現化され得ることを理解されたい。
【００１０】
本発明の様々な態様を組み込むのに適した装置の例は、限定はされないが、無線通信システム中で動作することができるアクセスポイント（ＡＰ）および局（ＳＴＡ）を含む。無線通信システムは、直交周波数分割多重（ＯＦＤＭ）のような任意の適切な無線技術をサポートする、多入力および多出力（ＭＩＭＯ）技術を用いる、ＡＰとＳＴＡをサポートするように構成され得る。ＯＦＤＭシステムはＩＥＥＥ８０２．１１、または何らかの別の無線インターフェース規格を実装することができる。別の適切な無線技術は、例として、符号分割多重接続（ＣＤＭＡ）、時分割多重接続（ＴＤＭＡ）、またはあらゆる別の適切な無線技術、または適切な無線技術のあらゆる組み合わせを含む。ＣＤＭＡシステムは、ＩＳ−２０００、ＩＳ−９５、ＩＳ−８５６、広帯域ＣＤＭＡ（ＷＣＤＭＡ）、または何らかの別の適切な無線インターフェース規格を実装することができる。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ(登録商標)）または何らかの別の適切な無線インターフェース規格を実装することができる。当業者が容易に理解するように、本開示の様々な態様は、特定の無線技術および／または無線インターフェース規格のいずれにも限定されない。本開示全体で提示される様々な概念は、ウルトラワイドバンド（ＵＷＢ）のような短距離の無線技術、またはＢｌｕｅｔｏｏｔｈ(登録商標)のような何らかの別の短距離の無線インターフェース規格にも拡張され得る。あらゆる特定の通信システムで使用される実際の無線技術および無線インターフェース規格は、具体的な用途と、システムに課された全体の設計制約とにより決まる。本開示全体で提示される様々な概念は、別の無線技術および／または無線インターフェース規格を使用する無線通信システムに、同様に適用可能である。
【００１１】
無線通信システムは、ある地理的な領域全体に分布する任意の数のＡＰｓをサポートし、ＳＴＡのためにカバレッジを提供することができる。ＡＰは通常、カバレッジの地理的な領域内でＳＴＡにバックホールサービスを提供する、固定端末である。しかし、いくつかの用途では、ＡＰは移動式であってもよい。ＳＴＡは固定式でも移動式でもよく、ＡＰのバックホールサービスを利用し、または別のＳＴＡとのピアツーピア通信に関わる。ＳＴＡの例は、携帯電話、ラップトップコンピュータ、携帯情報端末（ＰＤＡ）、モバイルデジタルオーディオプレーヤー、モバイルゲーム機、デジタルカメラ、デジタルカムコーダー、モバイルオーディオデバイス、モバイルビデオデバイス、モバイルマルチメディアデバイス、または無線通信をサポートすることができるあらゆる別の適切なデバイスを含む。
【００１２】
ＡＰまたはＳＴＡは、異なる用語で当業者に呼ばれることがある。例として、ＡＰは、基地局、基地送受信局、無線デバイス、端末、ノード、または何らかの別の適切な用語として呼ばれることがある。同様に、ＳＴＡは、ユーザー端末、移動局、加入者局、無線デバイス、端末、アクセス端末、ノード、または何らかの別の適切な用語として呼ばれることがある。本開示全体で開示される様々な概念は、その具体的な用語に関係なく、全ての適切な装置に当てはまることが意図される。
【００１３】
装置の様々な態様が、ここで図１を参照して提示される。図１は、装置のハードウェア構成を示す、概念的なブロック図である。装置１００は、処理システム１０２と、第１の無線インターフェース１０４と、第２の無線インターフェース１０６とを含んでもよい。
【００１４】
第１の無線インターフェース１０４と第２の無線インターフェース１０６とは、異なる無線インターフェースプロトコルをサポートしてもよい。例として、第１の無線インターフェース１０４は６０ＧＨｚのＨＦ無線を含みＩＥＥＥ８０２．１１ａｄ（極めて高いスループット）をサポートしてもよく、第２の無線インターフェース１０６は、より低周波の無線を含み、レガシーなＩＥＥＥ８０２．１１、Ｂｌｕｅｔｏｏｔｈ(登録商標)、セルラー、または別の何らかの適切な無線インターフェースプロトコルをサポートしてもよい。各無線インターフェース１０４、１０６は、無線信号を変調し、別の高周波（ＲＦ）の初期段階の処理を実行することによって、物理層を実装するように構成されてもよい。あるいは、物理層処理機能は、処理システム１０２によって実行されてもよい。
【００１５】
第１の無線インターフェース１０４と第２の無線インターフェース１０６とは、別個のエンティティとして示されている。しかし、当業者が容易に理解するように、第１の無線インターフェース１０４と第２の無線インターフェース１０６とは、単一のエンティティに統合されてもよい。あるいは、第１の無線インターフェース１０４と第２の無線インターフェース１０６、またはそれらのあらゆる部分は、処理システム１０２に統合されてもよく、または、装置１００内で複数のエンティティ全体に分散していてもよい。
【００１６】
処理システム１０２は、１つまたは複数のプロセッサにより実装され得る。１つまたは複数のプロセッサは、汎用マイクロプロセッサ、マイクロコントローラ、デジタルシグナルプロセッサ（ＤＳＰ）、フィールドプログラマブルゲートアレイ（ＦＰＧＡ）、プログラマブルロジックデバイス（ＰＬＤ）、コントローラ、ステートマシン、ゲートロジック、個別のハードウェアコンポーネント、または計算もしくは情報の別の操作を実行できるあらゆる別の適切なエンティティの、任意の組み合わせによって実装され得る。
【００１７】
処理システム１０２は、ソフトウェアを格納するための機械可読媒体も含んでもよい。ソフトウェアは、ソフトウェア、ファームウェア、ミドルウェア、マイクロコード、ハードウェア記述言語などと呼ばれるかどうかにかかわらず、あらゆる種類の命令を意味するものと広く解釈されるべきである。命令は、コード（例えば、ソースコードのフォーマットの、バイナリコードのフォーマットの、実行可能コードのフォーマットの、または任意の別の適切なコードのフォーマットの）を含んでもよい。命令は、１つまたは複数のプロセッサにより実行されると、処理システム１０２に、以下で説明される様々な機能とともに、別のプロトコル処理機能（例えばデータリンク層処理）を実行させる。
【００１８】
機械可読媒体は、プロセッサの１つまたは複数に統合される記憶装置を含んでもよい。機械可読媒体は、ランダムアクセスメモリ（ＲＡＭ）、フラッシュメモリ、読み取り専用メモリ（ＲＯＭ）、プログラム可能読み取り専用メモリ（ＰＲＯＭ）、消去可能ＰＲＯＭ（ＥＰＲＯＭ）、レジスタ、ハードディスク、リムーバブルディスク、ＣＤ−ＲＯＭ、ＤＶＤ、または任意の別の適切な記憶デバイスのような、１つまたは複数のプロセッサの外部の記憶装置も含んでもよい。さらに、機械可読媒体は、伝送ラインまたはデータ信号を符号化する搬送波を含んでもよい。当業者は、どのようにすれば処理システムのために説明された機能を最も良好に実装できるかを、理解するだろう。
【００１９】
無線通信システムで動作するいくつかの装置の様々な態様が、図２を参照してここで示される。図２は、無線通信システムにおける通信の例を示す概念的な図である。この例では、無線通信システムは、２つの無線ネットワークを含む。各無線ネットワークは、ＡＰおよびいくつかのＳＴＡを含み、ここで同期およびチャネル時間割り当てのような管理タスクは、ＡＰにより行われる。
【００２０】
この例では、ネットワーク１およびネットワーク２で示される２つの独立のネットワークが近接して動作しており、ネットワーク１およびネットワーク２にはそれぞれアクセスポイントＡＰ１およびＡＰ２が対応する。ＡＰ１のネットワーク１のカバレッジエリアの端に近い位置にあるＳＴＡ１が、ＡＰ１からメッセージを受信しようとし、ネットワーク２内で送信しているＳＴＡ２からの干渉を検出すると仮定する。
【００２１】
この状況では、２つのネットワークは、干渉を避けるために送信時間または周波数を調整しなければならない。しかし、ＡＰ１は、ＡＰ２とＳＴＡ２の両方のカバレッジエリアの外にあり、ＳＴＡ２からの通信を感知することができない。したがって、ＡＰ１は、ＡＰ２との通信を調整して干渉を回避することができない。
【００２２】
ある構成では、ＡＰ１とＡＰ２とは、ＨＦ無線を有する第１の無線インターフェース１０４と、１つまたは複数の低周波（ＬＦ）無線（例えば、ＨＦ無線に加えて２．４ＧＨｚ帯または５ＧＨｚ帯で動作する）を有する第２の無線インターフェース１０６とによって、デュアルバンドまたはマルチバンド無線を使用する。この寄与では、そのようなデバイスのＬＦ無線を使用することが、ＨＦネットワークにおける干渉管理を支援するために提案されている。
【００２３】
デュアルバンド局を有するネットワークにおいて、ＬＦ無線は、経路損失が小さいため、ＨＦリンクの干渉の管理を改善するために利用され得る。図２に示されるように、ＡＰ１とＡＰ２とのＬＦ無線の範囲（ＡＰ１  ＬＦおよびＡＰ２  ＬＦとして示される）は、それぞれ、ネットワーク１とネットワーク２との中での対応するＨＦ無線の範囲よりも長い。したがって、ＡＰ１とＡＰ２の両方が、それぞれネットワーク１とネットワーク２との中で示されているように、自身のＬＦ無線を利用して、ＨＦリンクの干渉の管理を改善するために一緒に通信することができる。
【００２４】
ある構成では、２つの隣接するネットワークのＡＰ１とＡＰ２とは、コリジョンを避けるために、一定のレベルの調整を確立しなければならない。一方のＡＰからのＨＦ送信は他方のＡＰによって聴取されることが不可能であるが、ＬＦ無線の通信範囲は、管理メッセージを交換するためのリンクを２つのＡＰが確立するのには十分な場合がある。そのようなリンクは、ピアツーピア通信のためのＬＦシステムの既存のプロトコルにしたがって、形成され得る。
【００２５】
調整を確立するために、ＡＰ１とＡＰ２とは、まず干渉があるかどうかを検出する。ＡＰは、以下の方法のうちの１つによって、干渉を検出することができる。
【００２６】
（１）ＳＴＡ１が、周辺のネットワークからの干渉のためにＡＰ１からのメッセージを検出できない場合、ＡＰ１はＳＴＡ１からの肯定応答（ＡＣＫ）の受信に繰り返し失敗する。このことは、ＳＴＡ１が干渉に遭遇していることの指標になり得る。
【００２７】
（２）各ＡＰは、ＬＦチャネル上の送信ビーコンによって周辺のネットワークの存在を周期的に監視し、別のＡＰから送信されるそのようなビーコンに応答することができる。この方法によって、ＡＰは、別のネットワークの配置を推定することができ、経路損失の式を用いて、ＨＦチャネル上のネットワーク間での干渉の可能性を予測することもできる。
【００２８】
干渉の可能性が検出されると、２つのＡＰが（既存のＬＦプロトコルにしたがって）共通のＬＦリンクを確立する。次いで、ＡＰは、以下の方法のうちの１つによって、干渉の管理を実行することができる。
【００２９】
（１）周波数帯を調整する：別のＨＦ帯が利用可能であれば、ＡＰの１つは、自身の対応するネットワークのＨＦ周波数帯を、別の利用可能な帯域に切り替えることができる。周波数帯は、ＡＰの出力が上がったときに、初期チャネルの選択のために調整されることもある。
【００３０】
（２）同期したネットワークについては、ＡＰはコンテンション期間と送信時間とを時間直交させることができる。コンテンション期間が２つのネットワークの間で直交させられた場合、さらに、ＳＴＡ１のデータ送信時間とＳＴＡ２のデータ送信時間とが直交させられた場合、２つの異なるネットワーク内にあるが互いの通信の範囲内にあるＳＴＡ１とＳＴＡ２とは、これらの両方が同時にＡＰに通信しようとしたときに、コリジョンを避けることができる。互いの範囲内にない、２つのネットワーク中の２つのＳＴＡが、この期間の間に競合する場合には、その両方がアクセスを獲得し、干渉を伴わずに、したがってチャネル時間の共有を回避して、対応するＡＰと同時に通信することができる。
【００３１】
（３）ＡＰは、ネットワークの配置またはトポロジーを変えることによってネットワークを再構成し、干渉を避けることができる。例えば、ネットワークのうちの１つは、従属ネットワークとして別のネットワークと統合されてもよい。チャネル時間は２つのネットワークで共有され、２つのＡＰの間の通信は、ＬＦリンクを介して実行される。別の例では、別のネットワークを移動させるため、または別のネットワークに参加するために、ＳＴＡに干渉することが命令されてもよい。
【００３２】
図３は、例示的な装置の機能を示す、概念的なブロック図である。装置は、第１の無線インターフェースを通じて、第１のカバレッジエリア内で第１の無線ノードとの通信から、潜在的干渉を判定するためのモジュール３０２と、第２のカバレッジエリアが第１のカバレッジエリアよりも広く周辺の装置が第１のカバレッジエリアの外側にあるとき、第２の無線インターフェースを通じて第２のカバレッジエリア内で周辺の装置と通信する際に、潜在的干渉を管理するためのモジュール３０４とを含む。装置のモジュール３０２、３０４は、処理システム１０２内のモジュールである（図１参照）。したがって、潜在的干渉を判定するための手段と、潜在的干渉を管理するための手段とは、処理システム１０２である。
【００３３】
ある構成では、第１の無線インターフェースが短距離のＨＦ通信をサポートし、第２の無線インターフェースが長距離のＬＦ通信をサポートする。別の構成では、第１の無線インターフェースは、第１の帯域幅での通信をサポートし、第２の無線インターフェースは、第１の帯域幅とは異なる第２の帯域幅での通信をサポートする。さらに別の構成では、第１の無線インターフェースは第１のアンテナを含み、第２無線インターフェースは第１のアンテナとは異なる第２のアンテナを含む。それぞれの構成において、第２の無線インターフェースは、装置と、第１の無線インターフェースの範囲の外にある別のＡＰとの間の通信を、よりサポートすることができる。
【００３４】
モジュール３０２は、装置と第１の無線インターフェースの範囲内の無線ノードとの間の通信との、潜在的干渉を判定する。モジュール３０２は、無線ノードから干渉を指し示すメッセージ受信することによって、無線ノードからの肯定応答の受信に失敗することによって、別の無線ノードからの信号を検出することによって、周辺のＡＰからの信号を検出することによって、または、第２の無線インターフェースを通じて受信されたビーコン／パイロットを通じて周辺のＡＰの距離を判定することによって、または周辺のＡＰによって送信され第２の無線インターフェースを通じて受信される位置情報によって、干渉を検出することができる。
【００３５】
周辺のＡＰから検出される信号が理解できない場合であっても、信号は、周辺のＡＰが干渉を引き起こすのに十分近いネットワークで動作しているとモジュール３０２が判定するのに、十分でありうる。モジュール３０２は、周辺のＡＰからの信号が破損していることを検出することによって、実際の干渉を検出することができる。
【００３６】
モジュール３０２は、受信されたパイロットによって、周辺のＡＰの距離を判定し、モジュール３０２は、（ａ）受信されたパイロットの強度と第２の無線インターフェースの経路損失モデルとに基づいて、または（ｂ）受信されたパイロットの到達時間に基づいて、距離を判定することができる。
【００３７】
潜在的なまたは実際の干渉が判定されると、モジュール３０４は、周辺のＡＰ周波数帯のうちのどの周波数帯内のそれぞれのネットワークで通信するかを調整することによって、タイミング情報を交換して周辺のＡＰと第１の無線インターフェースに関連するタイミングを同期することによって、または、あらゆる干渉を回避するために第１の無線インターフェースのスケジューリングを周辺のＡＰと調整することによって、干渉を管理することができる。ある構成では、モジュール３０４は、周辺のＡＰの専用のチャネル通信とは異なる期間に、専用のチャネル通信をスケジューリングする。別の構成では、モジュール３０４は、周辺のＡＰの共通のアクセス通信とは異なる期間に、共通のアクセス通信をスケジューリングする。さらに別の構成では、モジュール３０４は、チャネル時間の分割を周辺のＡＰと調整する。
【００３８】
あらゆる干渉を回避するために、モジュール３０４は代替的に、周辺のＡＰに対して、従属ネットワークとして装置に統合するように要求してもよく、または、無線ノードのネットワーク接続を、自身のネットワークまたは周辺のネットワーク内で再構成してもよい。モジュール３０４は、異なるネットワークを関連付けるように無線ノードに要求することによって、または、装置を通じて通信サービスをこれ以上提供できないということを無線ノードに知らせることによって、ネットワーク接続を再構成することができる。
【００３９】
前述の説明は、当業者が本開示の完全な範囲を完全に理解できるように、提供されている。本明細書で開示される様々な構成に対する修正が、当業者には容易に明らかになる。したがって、特許請求の範囲は、本明細書で説明される本開示の様々な態様に限定されることを意図しておらず、特許請求の範囲の言葉と合致する完全な範囲を認められるべきである。ある要素への単数形での言及は、特にそのように述べられていない限り、「１つでありただ１つの」ではなく、「１つまたは複数の」を意味することを意図している。特に別段述べられていない限り、「いくつかの」という用語は、１つまたは複数を指す。要素の組み合わせの少なくとも１つ（例えば「Ａ、Ｂ、およびＣの少なくとも１つ」）を挙げる請求項は、挙げられた要素の１つまたは複数（例えばＡ、またはＢ、またはＣ、またはそれらの任意の組み合わせ）を指す。当業者に知られている、またはこれから当業者に知られるようになる、本開示全体で説明される様々な態様の要素と等価な全ての構造と機能とは、参照により本明細書に明示的に組み込まれ、特許請求の範囲に包含されることが意図される。さらに、本明細書で開示されたことは、そのような開示が特許請求の範囲で明示的に挙げられているかどうかにかかわらず、公に開放されることは意図されていない。要素が、語句「のための手段」を用いて明示的に挙げられていない限り、または方法の請求項の場合には、要素が、語句「のためのステップ」を用いて挙げられていない限り、請求項の要素は、米国特許法第１１２条第６パラグラフの規定によるものと解釈されるべきではない。
以下に、本願出願の当初の特許請求の範囲に記載された発明を付記する。
［Ｃ１］
無線通信のための装置であって、
第１の無線インターフェースを通じての、第１のカバレッジエリア内の第１の無線ノードとの通信から潜在的干渉を判定し、
第２の無線インターフェースを通じての第２のカバレッジエリア内の周辺の装置と通信する際に、前記潜在的干渉を管理する
ように構成される処理システムを備え、
前記第２のカバレッジエリアは前記第１のカバレッジエリアよりも広く、前記周辺の装置は前記第１のカバレッジエリアの外にある、装置。
［Ｃ２］
前記第１の無線インターフェースは第１の周波数と関連し、前記第２の無線インターフェースは前記第１の周波数よりも低い第２の周波数と関連する、［Ｃ１］に記載の装置。
［Ｃ３］
前記第１の無線インターフェースは第１の帯域幅と関連し、前記第２の無線インターフェースは前記第１の帯域幅とは異なる第２の帯域幅と関連する、［Ｃ１］に記載の装置。
［Ｃ４］
前記処理システムは、第１のアンテナを通じて前記第１の無線ノードと通信し、前記第１のアンテナとは異なる第２のアンテナを通じて前記周辺の装置と通信するようにさらに構成される、［Ｃ１］に記載の装置。
［Ｃ５］
前記処理システムは、（ａ）前記第１の無線ノードから干渉を指し示すメッセージを受信すること、（ｂ）前記第１の無線ノードからの肯定応答の受信に失敗すること、（ｃ）別の無線ノードからの信号を検出すること、（ｄ）前記周辺の装置からの信号を検出すること、または（ｅ）前記周辺の装置の距離を判定することのうちの少なくとも１つに基づいて、前記潜在的干渉を判定するようにさらに構成される、［Ｃ１］に記載の装置。
［Ｃ６］
前記処理システムは、前記周辺の装置から受信される参照信号に基づいて、前記周辺の装置の前記距離を判定するようにさらに構成される、［Ｃ５］に記載の装置。
［Ｃ７］
前記処理システムは、前記受信される参照信号の強度と、前記第２の無線インターフェースのための経路損失モデルとに基づいて、前記周辺の装置の前記距離を判定するようにさらに構成される、［Ｃ６］に記載の装置。
［Ｃ８］
前記処理システムは、前記参照信号の到達時間に基づいて、前記周辺の装置の前記距離を判定するようにさらに構成される、［Ｃ６］に記載の装置。
［Ｃ９］
前記処理システムは、前記周辺の装置から受信される位置情報に基づいて、前記周辺の装置の前記距離を判定するようにさらに構成される、［Ｃ５］に記載の装置。
［Ｃ１０］
前記処理システムは、通信するためのそれぞれの周波数帯を前記周辺の装置と調整することによって、前記潜在的干渉を管理するようにさらに構成される、［Ｃ１］に記載の装置。
［Ｃ１１］
前記処理システムは、前記第２の無線インターフェースを通じて、前記周辺の装置と、前記第１の無線インターフェースに関連するタイミング情報を交換するようにさらに構成される、［Ｃ１］に記載の装置。
［Ｃ１２］
前記処理システムは、前記第２の無線インターフェースを通じて、前記第１の無線インターフェースを介する通信を前記周辺の装置とスケジューリングするようにさらに構成される、［Ｃ１］に記載の装置。
［Ｃ１３］
前記処理システムは、前記周辺の装置のための専用のチャネル通信とは異なる期間において、前記装置のための専用のチャネル通信をスケジューリングするようにさらに構成される、［Ｃ１２］に記載の装置。
［Ｃ１４］
前記処理システムは、前記周辺の装置のための共通のアクセス通信とは異なる期間において、前記装置のための共通のアクセス通信をスケジューリングするようにさらに構成される、［Ｃ１２］に記載の装置。
［Ｃ１５］
前記処理システムは、前記装置と前記周辺の装置との間で通信時間を分割するようにさらに構成される、［Ｃ１２］に記載の装置。
［Ｃ１６］
前記処理システムは、前記周辺の装置に、従属ネットワークとして前記装置と統合するように要求することによって、前記潜在的干渉を管理するようにさらに構成される、［Ｃ１］に記載の装置。
［Ｃ１７］
前記処理システムは、前記装置または前記周辺の装置と通信している少なくとも１つの別の無線ノードのためのネットワーク接続を再構成することによって、前記潜在的干渉を管理するようにさらに構成される、［Ｃ１］に記載の装置。
［Ｃ１８］
前記再構成は、前記少なくとも１つの別の無線ノードに、前記少なくとも１つの別の無線ノードが関連するネットワークとは異なるネットワークと関連するように要求することを備える、［Ｃ１７］に記載の装置。
［Ｃ１９］
前記再構成は、前記少なくとも１つの別の無線ノードが通信しているネットワークが、前記少なくとも１つの別の無線ノードにこれ以上通信サービスを提供できないということを、前記少なくとも１つの別の無線ノードに知らせることを備える、［Ｃ１７］に記載の装置。
［Ｃ２０］
無線通信のための方法であって、
第１の無線インターフェースを通じての第１のカバレッジエリア内の第１の無線ノードとの通信から潜在的干渉を判定することと、
第２の無線インターフェースを通じての第２のカバレッジエリア内の周辺の装置と通信する際に、前記潜在的干渉を管理することと
を備える、
前記第２のカバレッジエリアは前記第１のカバレッジエリアよりも広く、前記周辺の装置は前記第１のカバレッジエリアの外にある、方法。
［Ｃ２１］
前記第１の無線インターフェースは第１の周波数と関連し、前記第２の無線インターフェースは前記第１の周波数よりも低い第２の周波数と関連する、［Ｃ２０］に記載の方法。
［Ｃ２２］
前記第１の無線インターフェースは第１の帯域幅と関連し、前記第２の無線インターフェースは前記第１の帯域幅とは異なる第２の帯域幅と関連する、［Ｃ２０］に記載の方法。
［Ｃ２３］
第１のアンテナを通じて前記第１の無線ノードと通信し、前記第１のアンテナとは異なる第２のアンテナを通じて前記周辺の装置と通信することをさらに備える、［Ｃ２０］に記載の方法。
［Ｃ２４］
（ａ）前記第１の無線ノードから干渉を指し示すメッセージを受信すること、（ｂ）前記第１の無線ノードからの肯定応答の受信に失敗すること、（ｃ）別の無線ノードからの信号を検出すること、（ｄ）前記周辺の装置からの信号を検出すること、または（ｅ）前記周辺の装置の距離を判定することのうちの少なくとも１つに基づいて、前記潜在的干渉が判定される、［Ｃ２０］に記載の方法。
［Ｃ２５］
前記潜在的干渉は、前記周辺の装置から受信される参照信号に基づいて、前記周辺の装置の前記距離を判定することによって判定される、［Ｃ２４］に記載の方法。
［Ｃ２６］
前記潜在的干渉は、前記受信される参照信号の強度と、前記第２の無線インターフェースのための経路損失モデルとに基づいて、前記周辺の装置の前記距離を判定することによって判定される、［Ｃ２５］に記載の方法。
［Ｃ２７］
前記潜在的干渉は、前記参照信号の到達時間に基づいて、前記周辺の装置の前記距離を判定することによって判定される、［Ｃ２５］に記載の方法。
［Ｃ２８］
前記潜在的干渉は、前記周辺の装置から受信される位置情報に基づいて、前記周辺の装置の前記距離を判定することによって判定される、［Ｃ２４］に記載の方法。
［Ｃ２９］
前記潜在的干渉は、通信するためのそれぞれの周波数帯を前記周辺の装置と調整することによって管理される、［Ｃ２０］に記載の方法。
［Ｃ３０］
前記第２の無線インターフェースを通じて、前記周辺の装置と、前記第１の無線インターフェースに関連するタイミング情報を交換することをさらに備える、［Ｃ２０］に記載の方法。
［Ｃ３１］
前記第２の無線インターフェースを通じて、前記第１の無線インターフェースを介する通信を前記周辺の装置とスケジューリングすることをさらに備える、［Ｃ２０］に記載の方法。
［Ｃ３２］
前記周辺の装置のための専用のチャネル通信とは異なる期間において、専用のチャネル通信がスケジューリングされる、［Ｃ３１］に記載の方法。
［Ｃ３３］
前記周辺の装置のための共通のアクセス通信とは異なる期間において、共通のアクセス通信がスケジューリングされる、［Ｃ３１］に記載の方法。
［Ｃ３４］
前記周辺の装置との通信時間が分割される、［Ｃ３１］に記載の方法。
［Ｃ３５］
前記周辺の装置に、従属ネットワークとして前記装置と統合するように要求することによって、前記潜在的干渉が管理される、［Ｃ２０］に記載の方法。
［Ｃ３６］
前記装置または前記周辺の装置と通信している少なくとも１つの別の無線ノードのためのネットワーク接続を再構成することによって、前記潜在的干渉が管理される、［Ｃ２０］に記載の方法。
［Ｃ３７］
ネットワーク接続の前記再構成は、前記少なくとも１つの別の無線ノードに、前記少なくとも１つの別の無線ノードが関連するネットワークとは異なるネットワークと関連するように要求することを備える、［Ｃ３６］に記載の方法。
［Ｃ３８］
ネットワーク接続の前記再構成は、前記少なくとも１つの別の無線ノードが通信しているネットワークが、前記少なくとも１つの別の無線ノードにこれ以上通信サービスを提供できないということを、前記少なくとも１つの別の無線ノードに知らせることを備える、［Ｃ３６］に記載の方法。
［Ｃ３９］
無線通信のための装置であって、
第１の無線インターフェースを通じての第１のカバレッジエリア内の第１の無線ノードとの通信から潜在的干渉を判定するための手段と、
第２の無線インターフェースを通じて第２のカバレッジエリア内で周辺の装置と通信する際に、前記潜在的干渉を管理するための手段と
を備え、
前記第２のカバレッジエリアは前記第１のカバレッジエリアよりも広く、前記周辺の装置は前記第１のカバレッジエリアの外にある、装置。
［Ｃ４０］
前記第１の無線インターフェースは第１の周波数と関連し、前記第２の無線インターフェースは前記第１の周波数よりも低い第２の周波数と関連する、［Ｃ３９］に記載の装置。
［Ｃ４１］
前記第１の無線インターフェースは第１の帯域幅と関連し、前記第２の無線インターフェースは前記第１の帯域幅とは異なる第２の帯域幅と関連する、［Ｃ３９］に記載の装置。
［Ｃ４２］
第１のアンテナを通じて前記第１の無線ノードと通信し、前記第１のアンテナとは異なる第２のアンテナを通じて前記周辺の装置と通信するための手段をさらに備える、［Ｃ３９］に記載の装置。
［Ｃ４３］
（ａ）前記第１の無線ノードから干渉を指し示すメッセージを受信すること、（ｂ）前記第１の無線ノードからの肯定応答の受信に失敗すること、（ｃ）別の無線ノードからの信号を検出すること、（ｄ）前記周辺の装置からの信号を検出すること、または（ｅ）前記周辺の装置の距離を判定することのうちの少なくとも１つに基づいて、前記潜在的干渉が判定される、［Ｃ３９］に記載の装置。
［Ｃ４４］
前記潜在的干渉は、前記周辺の装置から受信される参照信号に基づいて、前記周辺の装置の前記距離を判定することによって判定される、［Ｃ４３］に記載の装置。
［Ｃ４５］
前記潜在的干渉は、前記受信される参照信号の強度と、前記第２の無線インターフェースのための経路損失モデルとに基づいて、前記周辺の装置の前記距離を判定することによって判定される、［Ｃ４４］に記載の装置。
［Ｃ４６］
前記潜在的干渉は、前記参照信号の到達時間に基づいて、前記周辺の装置の前記距離を判定することによって判定される、［Ｃ４４］に記載の装置。
［Ｃ４７］
前記潜在的干渉は、前記周辺の装置から受信される位置情報に基づいて、前記周辺の装置の前記距離を判定することによって判定される、［Ｃ４３］に記載の装置。
［Ｃ４８］
前記潜在的干渉は、通信するためのそれぞれの周波数帯を前記周辺の装置と調整することによって管理される、［Ｃ３９］に記載の装置。
［Ｃ４９］
前記第２の無線インターフェースを通じて、前記周辺の装置と、前記第１の無線インターフェースに関連するタイミング情報を交換するための手段をさらに備える、［Ｃ３９］に記載の装置。
［Ｃ５０］
前記第２の無線インターフェースを通じて、前記第１の無線インターフェースを介する通信を前記周辺の装置とスケジューリングするための手段をさらに備える、［Ｃ３９］に記載の装置。
［Ｃ５１］
前記周辺の装置のための専用のチャネル通信とは異なる期間において、専用のチャネル通信がスケジューリングされる、［Ｃ５０］に記載の装置。
［Ｃ５２］
前記周辺の装置のための共通のアクセス通信とは異なる期間において、共通のアクセス通信がスケジューリングされる、［Ｃ５０］に記載の装置。
［Ｃ５３］
前記周辺の装置との通信時間が分割される、［Ｃ５０］に記載の装置。
［Ｃ５４］
前記周辺の装置に、従属ネットワークとして前記装置と統合するように要求することによって、前記潜在的干渉が管理される、［Ｃ３９］に記載の装置。
［Ｃ５５］
前記装置または前記周辺の装置と通信している少なくとも１つの別の無線ノードのためのネットワーク接続を再構成することによって、前記潜在的干渉が管理される、［Ｃ３９］に記載の装置。
［Ｃ５６］
ネットワーク接続の前記再構成は、前記少なくとも１つの別の無線ノードに、前記少なくとも１つの別の無線ノードが関連するネットワークとは異なるネットワークと関連するように要求することを備える、［Ｃ５５］に記載の装置。
［Ｃ５７］
ネットワーク接続の前記再構成は、前記少なくとも１つの別の無線ノードが通信しているネットワークが、前記少なくとも１つの別の無線ノードにこれ以上通信サービスを提供できないということを、前記少なくとも１つの別の無線ノードに知らせることを備える、［Ｃ５５］に記載の装置。
［Ｃ５８］
通信のためのコンピュータプログラム製品であって、
第１の無線インターフェースを通じて、第１のカバレッジエリア内で第１の無線ノードとの通信から、潜在的干渉を判定し、
第２の無線インターフェースを通じて第２のカバレッジエリア内で周辺の装置と通信する際に、前記潜在的干渉を管理する
ように実行可能な命令を備える機械可読媒体を備え、
前記第２のカバレッジエリアは前記第１のカバレッジエリアよりも広く、前記周辺の装置は前記第１のカバレッジエリアの外にある、コンピュータプログラム製品。
［Ｃ５９］
１つまたは複数のアンテナと、
前記１つまたは複数のアンテナの少なくとも１つを介して第１のカバレッジエリア内での通信をサポートするように構成される第１の無線インターフェースと、
前記１つまたは複数のアンテナの少なくとも１つを介して、前記第１のカバレッジエリアよりも広い第２のカバレッジエリア内での通信をサポートするように構成される第２の無線インターフェースと、
処理システムと
を備え、前記処理システムは、
前記第１の無線インターフェースを通じて、前記第１のカバレッジエリア内で第１の無線ノードとの通信から、潜在的干渉を判定し、
前記第２の無線インターフェースを通じて前記第２のカバレッジエリア内で周辺の装置と通信する際に、前記潜在的干渉を管理する
ように構成され、前記周辺の装置は前記第１のカバレッジエリアの外にある、アクセスポイント。
［Ｃ６０］
第１のカバレッジエリア内での通信をサポートするように構成される第１の無線インターフェースと、
前記第１のカバレッジエリアよりも広い第２のカバレッジエリア内での通信をサポートするように構成される第２の無線インターフェースと、
ユーザーインターフェースと、
処理システムと
を備え、前記処理システムは、
第１の無線インターフェースを通じて、第１のカバレッジエリア内で第１の無線ノードとの通信から、潜在的干渉を判定し、
第２の無線インターフェースを通じて第２のカバレッジエリア内で周辺の装置と通信する際に、前記潜在的干渉を管理する
ように構成され、前記通信は前記ユーザーインターフェースからの入力に基づき、前記周辺の装置は前記第１のカバレッジエリアの外にある、局。
【図１】
0005490892.tif 000002
【図２】
0005490892.tif 000003
【図３】
0005490892.tif 000004